(57)【特許請求の範囲】
【請求項１】
サブフレームのデュプレックス方向が柔軟に変更される時分割二重化（ＴＤＤ）キャリアアグリゲーション（ＣＡ）システムにおいて、ハイブリッド自動再送要求応答（ＨＡＲＱ−ＡＣＫ）を送信する方法であって、
ユーザ端末機（ＵＥ）がＣＡモード下で動作する各セルに対して基地局から構成情報を受信するステップと、
前記受信された構成情報に基づいて、前記ＵＥが前記各セルのうちのアップリンク／ダウンリンクサブフレームの分布が柔軟に変更され得るセルに対する基準アップリンク／ダウンリンク構成を決定するステップと、
前記決定された基準アップリンク／ダウンリンク構成に基づいて、前記ＵＥが前記各セルにおけるダウンリンク送信に対するＨＡＲＱ−ＡＣＫのタイミングを決定するステップと、
前記ＵＥが前記決定された各セルに対するＨＡＲＱ−ＡＣＫのタイミングに基づいて、前記ＨＡＲＱ−ＡＣＫを送信するステップとを含むことを特徴とする方法。
【請求項２】
前記各セルのうちのアップリンク／ダウンリンクサブフレームの分布が柔軟に変更され得るセルに対する基準アップリンク／ダウンリンク構成を決定するステップは、
基本セル（Primary cell：Ｐセル）で、アップリンク／ダウンリンクサブフレームの分布が柔軟に変更されることができ、補助セル(Secondary cell:Ｓセル)で、アップリンク／ダウンリンクサブフレームの分布が柔軟に変更されることが禁止される場合、前記Ｐセルの基準アップリンク／ダウンリンク構成Ａを決定するステップと、
それぞれの前記Ｓセルに対して、前記決定されたＰセルの基準アップリンク／ダウンリンク構成Ａと下記の表を用いて前記ＣＡモード下で動作する前記それぞれのＳセルのＣＡモード基準アップリンク／ダウンリンク構成Ｃを決定するステップと、をさらに含み、
【表１】
0006317344.tif 000008
前記各セルにおける前記ダウンリンク送信に対するＨＡＲＱ−ＡＣＫのタイミングを決定するステップは、
前記決定されたＣＡモード基準アップリンク／ダウンリンク構成Ｃによって、前記Ｓセルにおけるダウンリンク送信に対するＨＡＲＱ−ＡＣＫのタイミングを決定するステップを含むことを特徴とする請求項１に記載の方法。
【請求項３】
前記ＳセルのＣＡモード基準アップリンク／ダウンリンク構成Ｃに対するロングタームエボリューション（ＬＴＥ）リリーズ８で定義されているバンドリングウィンドウで、サブフレームの集合を前記Ｓセルのバンドリングウィンドウとして決定するステップをさらに含み、
前記サブフレームの集合の各々は、前記Ｓセルにおけるダウンリンクサブフレームであることを特徴とする請求項２に記載の方法。
【請求項４】
前記各セルのうちのアップリンク／ダウンリンクサブフレームの分布が柔軟に変更され得るセルに対する基準アップリンク／ダウンリンク構成を決定するステップは、
基本セル(Primary cell:Ｐセル)でアップリンク／ダウンリンクサブフレームの分布が柔軟に変更されることが禁止され、補助セル(Secondary cell:Ｓセル)でアップリンク／ダウンリンクサブフレームの分布が柔軟に変更され得る場合、前記Ｓセルの基準アップリンク／ダウンリンク構成Ｂを決定するステップと、
それぞれの前記Ｓセルに対して、前記決定されたＳセルの基準アップリンク／ダウンリンク構成Ｂと下記表を用いて前記ＣＡモード下で動作する前記ＳセルのＣＡモード基準アップリンク／ダウンリンク構成Ｃを決定するステップと、をさらに含み、
【表２】
0006317344.tif 000009
前記各セルにおける前記ダウンリンク送信に対するＨＡＲＱ−ＡＣＫのタイミングを決定するステップは、
前記決定されたＣＡモード基準アップリンク／ダウンリンク構成Ｃによって、前記Ｓセルにおけるダウンリンク送信に対するＨＡＲＱ−ＡＣＫのタイミングを決定するステップを含むことを特徴とする請求項１に記載の方法。
【請求項５】
前記各セルのうちのアップリンク／ダウンリンクサブフレームの分布が柔軟に変更され得るセルに対する基準アップリンク／ダウンリンク構成を決定するステップは、
基本セル(Primary cell:Ｐセル)及び補助セル(Secondary cell:Ｓセル)でアップリンク／ダウンリンクサブフレームの分布が柔軟に変更され得る場合、前記Ｐセルの基準アップリンク／ダウンリンク構成Ａ及び前記Ｓセルの基準アップリンク／ダウンリンク構成Ｂを決定するステップと、
それぞれの前記Ｓセルに対して、下記表に従って前記ＣＡモード下で動作する前記ＳセルのＣＡモード基準アップリンク／ダウンリンク構成Ｃを決定するステップと、を含み、
【表３】
0006317344.tif 000010
前記各セルにおける前記ダウンリンク送信に対するＨＡＲＱ−ＡＣＫのタイミングを決定するステップは、
前記決定されたＣＡモード基準アップリンク／ダウンリンク構成Ｃによって、前記Ｓセルにおけるダウンリンク送信に対するＨＡＲＱ−ＡＣＫのタイミングを決定するステップを含むことを特徴とする請求項１に記載の方法。
【請求項６】
前記ＳセルのＣＡモード基準アップリンク／ダウンリンク構成Ｃに対して、ロングタームエボリューション（ＬＴＥ）リリーズ８で定義されているバンドリングウィンドウによって、前記Ｓセルに対するバンドリングウィンドウを決定するステップをさらに含むことを特徴とする請求項２または４または５に記載の方法。
【請求項７】
前記Ｓセルのバンドリングウィンドウである前記ＳセルのＣＡモード基準アップリンク／ダウンリンク構成Ｃに対してＬＴＥリリーズ８で定義されているバンドリングウィンドウにおけるサブフレームの集合を決定するステップをさらに含み、
前記サブフレームの集合の各々は、前記Ｓセルにおける固定されたダウンリンクサブフレーム及び柔軟なサブフレームのうち一つであることを特徴とする請求項４または５に記載の方法。
【請求項８】
前記Ｓセルのバンドリングウィンドウである前記ＳセルのＣＡモード基準アップリンク／ダウンリンク構成Ｃに対して、ＬＴＥリリーズ８で定義されているバンドリングウィンドウでサブフレームの集合を決定するステップをさらに含み、
前記サブフレームの集合の各々は、前記Ｓセルの基準アップリンク／ダウンリンク構成Ｂでダウンリンクサブフレームであることを特徴とする請求項４または５に記載の方法。
【請求項９】
前記基準アップリンク／ダウンリンク構成Ｂは、前記Ｓセルが構成される場合、シグナリングを通して、前記基地局により前記ＵＥに送信されることを特徴とする請求項４または５に記載の方法。
【請求項１０】
前記ＨＡＲＱ−ＡＣＫを送信するステップは、アップリンク／ダウンリンクサブフレームの分布が柔軟に変更され得るセルにおける前記ＨＡＲＱ−ＡＣＫを送信する場合、前記セルにおける固定されたアップリンクサブフレームのみで、前記ＨＡＲＱ−ＡＣＫを送信するステップを含むことを特徴とする請求項１に記載の方法。
【請求項１１】
サブフレームのデュプレックス方向が柔軟に変更され得る時分割二重化（ＴＤＤ）キャリアアグリゲーション（ＣＡ）システムにおいて、ハイブリッド自動再送要求応答（ＨＡＲＱ−ＡＣＫ）を送信する装置であって、
ＣＡモード下で動作する各セルに対して基地局から構成情報を受信するように構成される送受信器と、
前記受信された構成情報によって各セルのうちのアップリンク／ダウンリンクサブフレームの分布が柔軟に変更され得るセルに対する基準アップリンク／ダウンリンク構成を決定し、前記決定された基準アップリンク／ダウンリンク構成に基づいて前記各セルにおけるダウンリンク送信に対するＨＡＲＱ−ＡＣＫのタイミングを決定し、前記送受信器を通して、前記各セルに対するＨＡＲＱ−ＡＣＫのタイミングによって、前記ＨＡＲＱ−ＡＣＫをフィードバックするように構成される制御機とを含むことを特徴とする装置。
【発明の詳細な説明】
【技術分野】
【０００１】
本発明は、移動通信に関し、特にサブフレームの分布が柔軟に変更される時分割二重化（Ｔｉｍｅ  Ｄｉｖｉｓｉｏｎ  Ｄｕｐｌｅｘｉｎｇ：ＴＤＤ）キャリアアグリゲーションＣａｒｒｉｅｒ  Ａｇｇｒｅｇａｔｉｏｎ：ＣＡ）システムにおいて、ハイブリッド自動再送要求応答（Ｈｙｂｒｉｄ  Ａｕｔｏｍａｔｉｃ  Ｒｅｐｅａｔ  ｒｅＱｕｅｓｔ  ＡＣＫｎｏｗｌｅｄｇｅｍｅｎｔ：ＨＡＲＱ−ＡＣＫ）を送信する方法及び装置に関する。
【背景技術】
【０００２】
ロングタームエボリューション（Ｌｏｎｇ  Ｔｅｒｍ  Ｅｖｏｌｕｔｉｏｎ：ＬＴＥ）システムはＴＤＤの動作モードをサポートする。
【０００３】
図１は、一般的なＬＴＥ  ＴＤＤシステムのフレーム構造を図示している。
【０００４】
図１を参照すれば、各無線フレーム（ｒａｄｉｏ  ｆｒａｍｅ）は１０ｍｓの長さを有し、５ｍｓの２個のハーフフレーム（ｈａｌｆ  ｆｒａｍｅ）に同一に分割される。各ハーフフレームは８個のスロットを含み、上記８個のスロットの各々は０．５ｍｓの長さを有し、３個の特定フィールド（ｓｐｅｃｉａｌ  ｆｉｅｌｄ）、すなわちダウンリンクパイロットタイムスロット（Ｄｏｗｎｌｉｎｋ  Ｐｉｌｏｔ  Ｔｉｍｅ  Ｓｌｏｔ：ＤｗＰＴＳ）と、保護期間（Ｇｕａｒｄｉｎｇ  Ｐｅｒｉｏｄ：ＧＰ）及びアップリンクパイロットタイムスロット（Ｕｐｌｉｎｋ  Ｐｉｌｏｔ  Ｔｉｍｅ  Ｓｌｏｔ：ＵｐＰＴＳ）を有する。上記３個の特定フィールドの全体長さは１ｍｓである。
【０００５】
各サブフレーム（サブフレーム０乃至サブフレーム９）は、２個の連続的なタイムスロットを含み、すなわちｋ番目のサブフレームは、タイムスロット２ｋ及びタイムスロット２ｋ＋１を含む。
【０００６】
ＴＤＤシステムは、下記＜表１＞に表したような、７個のタイプのアップリンク／ダウンリンク（ＵｐＬｉｎｋ／ＤｏｗｎＬｉｎｋ：ＵＬ／ＤＬ）構成（ｃｏｎｆｉｇｕｒａｔｉｏｎ）をサポートする。
【０００７】
＜表１＞で、Ｄは、ダウンリンクサブフレームを示し、Ｕは、アップリンクサブフレームを示し、Ｓは、上記の３個の特定フィールド、すなわち、ＤｗＰＴＳと、ＧＰ及びＵｐＰＴＳを含む特定サブフレーム（ｓｐｅｃｉａｌ  ｓｕｂ−ｆｒａｍｅ）を示す。＜表１＞は、ＬＴＥ  ＴＤＤ  ＵＬ／ＤＬ構成を示す。
【０００８】
【表１】
0006317344.tif 000002
【０００９】
ＬＴＥ  ＴＤＤシステムで、リソース割当は、物理リソースブロック（Ｐｈｙｓｉｃａｌ  Ｒｅｓｏｕｒｃｅ  Ｂｌｏｃｋ：ＰＲＢ）の単位で遂行される。各ＰＲＢは、上記周波数ドメイン（ｆｒｅｑｕｅｎｃｙ  ｄｏｍａｉｎ）で１２個の連続的なサブキャリア（ｓｕｂｃａｒｒｉｅｒ）を含み、上記時間ドメイン（ｔｉｍｅ  ｄｏｍａｉｎ）で一つのタイムスロットを占有する。
【００１０】
ダウンリンクサブフレームで、最初のｎ個のＯＦＤＭシンボルは、ダウンリンク制御情報を送信するために使用され、上記ダウンリンク制御情報は、物理ダウンリンク制御チャンネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）と他の制御情報を含み、他のシンボル、すなわち上記最初のｎ個のＯＦＤＭシンボルの次のシンボルは、物理ダウンリンク共有チャンネル（Ｐｈｙｓｉｃａｌ  Ｄｏｗｎｌｉｎｋ  Ｓｈａｒｅｄ  Ｃｈａｎｎｅｌ：ＰＤＳＣＨ）を送信するために使用される。
【００１１】
ＬＴＥの次のバージョン（ｖｅｒｓｉｏｎ）で、向上したＰＤＣＣＨ（ｅｎｈａｎｃｅｄ  ＰＤＣＣＨ：ｅＰＤＣＣＨ）のコンセプトが提案されたことがある。ｅＰＤＣＣＨは送信されるサブフレームにおけるデータ領域にマッピングされる。したがって、上記ｅＰＤＣＣＨ及びＰＤＳＣＨは、周波数分割多重化（Ｆｒｅｑｕｅｎｃｙ  Ｄｉｖｉｓｉｏｎ  Ｍｕｌｔｉｐｌｅｘｉｎｇ：ＦＤＭ）により具現される。ここで、ＰＤＣＣＨ及びｅＰＤＣＣＨは、相互区別されず、別途に明示しない限り、共通的にＰＤＣＣＨと称される。
【００１２】
基地局は、ダウンリンクグラントシグナリング（ｄｏｗｎｌｉｎｋ  ｇｒａｎｔ  ｓｉｇｎａｌｉｎｇ）を含むＰＤＣＣＨを通して、一つのダウンリンクサブフレームでＰＤＳＣＨリソースを割り当てる。ユーザ端末機（Ｕｓｅｒ  Ｅｑｕｉｐｍｅｎｔ：ＵＥ）は、上記ダウンリンクグラントシグナリングを受信した後、上記ＰＤＳＣＨを受信及びデコーディングし、任意のタイミング方式（ｔｉｍｉｎｇ  ｓｃｈｅｍｅ）によって、以後のアップリンクサブフレームで、上記ＰＤＳＣＨに対するＨＡＲＱ−ＡＣＫを送信する。ＴＤＤが複数個のタイプのＵＬ／ＤＬ構成をサポートするので、ダウンリンク半永久的スケジューリング（Ｓｅｍｉ  Ｐｅｒｍａｎｅｎｔ  Ｓｃｈｅｄｕｌｉｎｇ：ＳＰＳ）解除（ｒｅｌｅａｓｅ）を指示するＰＤＣＣＨであるか、あるいは０または一つまたは複数個のダウンリンクサブフレームにおけるＰＤＳＣＨに対するＨＡＲＱ−ＡＣＫは、アップリンクサブフレームｎ内でフィードバックされる。上記ダウンリンクサブフレームのインデックスは、ｎ−ｋであり、ここでｋはコレクション（ｃｏｌｌｅｃｔｉｏｎ）Ｋに属し、上記コレクションＫは、下記の＜表２＞に示すように、上記ＵＬ／ＤＬ構成及びアップリンクサブフレームｎにより決定される。＜表２＞は、インデックスコレクションＫを示す。
【００１３】
【表２】
0006317344.tif 000003
【００１４】
ＬＴＥ−アドバンスド（ＬＴＥ−Ａｄｖａｎｃｅｄ：ＬＴＥ−Ａ）システムで、複数個のコンポーネントキャリア（Ｃｏｍｐｏｎｅｎｔ  Ｃａｒｒｉｅｒｓ：ＣＣ）は、より大きい動作帯域幅、すなわちキャリアアグリゲーション（Ｃａｒｒｉｅｒ  Ａｇｇｒｅｇａｔｉｏｎ：ＣＡ）を獲得するためにアグリゲート（ａｇｇｒｅｇａｔｅ）される。上記アグリゲートされたキャリアは、上記通信システムでダウンリンク及びアップリンクを構成し、従って、より大きい送信レート（ｒａｔｅ）が成就できる。
【００１５】
基地局は、ＵＥが複数個のセルで動作するように構成し、上記複数個のセルは一つの基本セル（Ｐｒｉｍａｒｙ  ｃｅｌｌ：Ｐセル）と複数個の補助セル（Ｓｅｃｏｎｄａｒｙ  ｃｅｌｌ：Ｓセル）を含む。
【００１６】
複数個のアグリゲートされたセルが同一なＵＬ／ＤＬ構成を使用する場合、上記全てのセルに対するＨＡＲＱ−ＡＣＫは、上記Ｐセルのアップリンクサブフレームでフィードバックされ、セルに対してＬＴＥリリーズ（Ｒｅｌｅａｓｅ）８で定義されている上記ＨＡＲＱ−ＡＣＫタイミング方式が＜表２＞に表したように使用されることができる。しかし、上記アグリゲートされた複数個のセルが相異なるＵＬ／ＤＬ構成を使用する場合、上記全てのセルに対するＨＡＲＱ−ＡＣＫは、上記Ｐセルにおけるアップリンクサブフレームでフィードバックされ、＜表１＞に表したような、上記７個の一般的なＵＬ／ＤＬ構成のうち一つに従うタイミング方式は、上記ＳセルでＰＤＳＣＨに対するタイミング方式として使用される。
【００１７】
＜表３＞は、ＴＤＤ  ＵＬ／ＤＬ構成のＨＡＲＱ−ＡＣＫタイミング方式が上記ＰセルのＴＤＤ  ＵＬ／ＤＬ構成及びＳセルのＴＤＤ  ＵＬ／ＤＬ構成の各組み合わせに対して上記Ｓセルのダウンリンク送信のために使用される、上記ＴＤＤ  ＵＬ／ＤＬ構成を決定するためのものである。＜表３＞は、ＨＡＲＱ−ＡＣＫタイミングに対するＴＤＤ  ＵＬ／ＤＬ構成を決定することを示す。
【００１８】
【表３】
0006317344.tif 000004
【００１９】
一般的なＬＴＥ  ＴＤＤ規格で、セルにより使用される上記ＵＬ／ＤＬ構成はブロードキャストシグナリング（ｂｒｏａｄｃａｓｔ  ｓｉｇｎａｌｉｎｇ）を通して構成され、すなわちシステム情報ブロック１（Ｓｙｓｔｅｍ  Ｉｎｆｏｒｍａｔｉｏｎ  Ｂｌｏｃｋ１：ＳＩＢ１）に含まれる。上記の通りに、上記ＬＴＥシステムは一般的な規格によって、３時間毎にＵＬ／ＤＬ構成間の変更の間の最小６４０ｍｓとシステム情報の最大３２回の変更をサポートする。サービス特性における速い変更を改善させるために、３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）は、現在、上記システムでＵＬ／ＤＬサブフレームの分布において、より速い変更をサポートする方法で動作している。一例で、新たな方法は、より速いペース（ｐａｃｅ）、一例で、毎２００ｍｓでＵＬ／ＤＬ構成が変更され得るか、あるいは上記無線フレームの長さと同一な１０ｍｓの間隔でＵＬ／ＤＬ構成が変更され得る。
【００２０】
実際に、基地局スケジューラ（ｓｃｈｅｄｕｌｅｒ）は、サービス要求事項によって上記ＵＬ／ＤＬサブフレームの分布を変更することができ、任意のスケジューリング制限を採択することによって、上記システムを適合に実行し続けることができる。ＵＥは、上記ＵＥが上記７個のＵＬ／ＤＬ構成のうち、どのＵＬ／ＤＬ構成下で実行されているか分かる必要がない。また、上記動作ＵＬ／ＤＬサブフレームの分布は、＜表１＞に表したような上記７個のＵＬ／ＤＬ構成で制限されない。すなわち、上記ＵＬ／ＤＬサブフレームの実際分布はＵＥに対してトランスペアレント（ｔｒａｎｓｐａｒｅｎｔ）することができる。
【発明の概要】
【発明が解決しようとする課題】
【００２１】
ＣＡシステムで、上記セルの一部あるいはすべてにおいて上記ＵＬ／ＤＬサブフレームの分布が柔軟に変更され得る場合、基地局及びＵＥの両方は、各セルにおけるＰＤＳＣＨに対する上記ＨＡＲＱ−ＡＣＫのタイミングを正確に決定して、上記ＵＥがアップリンク方向でＨＡＲＱ−ＡＣＫを正確に送信することを許可し、上記基地局が上記ＵＥにより送信されるＨＡＲＱ−ＡＣＫを正確に受信することを許可するので、ダウンリンクＨＡＲＱ送信が適合に具現されることができる。
【課題を解決するための手段】
【００２２】
したがって、本発明は、少なくとも上記で説明したような問題点及び／あるいは不都合を処理し、少なくとも下記で説明される利点を提供するように設計される。
【００２３】
本発明の一側面は、サブフレームのデュプレックス方向（ｄｕｐｌｅｘ  ｄｉｒｅｃｔｉｏｎ）が柔軟に変更されるＴＤＤ  ＣＡシステムにおけるＨＡＲＱ−ＡＣＫを送信する方法及び装置を提供することである。
【００２４】
本発明の一側面によれば、サブフレームのデュプレックス方向が柔軟に変更されるＴＤＤ  ＣＡシステムにおけるＨＡＲＱ−ＡＣＫを送信する方法が提供される。上記方法は、ＵＥがＣＡモード下で動作する各セルに対して、基地局から構成情報（ｃｏｎｆｉｇｕｒａｔｉｏｎ  ｉｎｆｏｒｍａｔｉｏｎ）を受信するステップと、
【００２５】
上記ＵＥが各セルにおける固定されたサブフレームと柔軟な（ｆｌｅｘｉｂｌｅ）サブフレームの分布を決定するステップと、各セルにおけるダウンリンク送信に対するＨＡＲＱ−ＡＣＫのタイミングを決定するステップと、上記ＵＥが上記決定された各セルに対するＨＡＲＱ−ＡＣＫのタイミングに基づいて、上記ＨＡＲＱ−ＡＣＫを送信するステップとを含む。
【００２６】
本発明の他の側面によれば、サブフレームのデュプレックス方向が柔軟に変更されるＴＤＤ  ＣＡシステムでＨＡＲＱ−ＡＣＫを送信する装置が提供される。上記装置はＣＡモード下で動作する各セルに対して、基地局から構成情報を受信するように構成される送受信器と、上記受信された構成情報によって各セルにおける固定されたサブフレームと柔軟なサブフレームの分布を獲得し、各セルにおける上記固定されたサブフレーム及び上記柔軟なサブフレームの分布によって、各セルでダウンリンク送信に対するＨＡＲＱ−ＡＣＫのタイミングを決定し、上記送受信器を通して上記各セルに対するＨＡＲＱ−ＡＣＫのタイミングによって、上記ＨＡＲＱ−ＡＣＫをフィードバックするように構成される制御機とを含む。
【００２７】
上記で説明したような本発明の側面、特徴及び長所、その他の細部事項は添付の図面と結付して行われる下記の発明の詳細な説明から明白に分かる。
【図面の簡単な説明】
【００２８】
【図１】一般的なＬＴＥ  ＴＤＤシステムでフレーム構造を図示している図である。
【図２】本発明の一実施形態によるＨＡＲＱ−ＡＣＫを送信する方法を図示しているフローチャートである。
【図３】本発明の一実施形態によるＨＡＲＱ−ＡＣＫを送信する装置を図示している。
【発明を実施するための形態】
【００２９】
以下、本発明の多様な実施形態は添付された図面を参照して具体的に説明される。下記の説明で、具体的な構成及びコンポーネントのような特定の具体的な事項は、本発明のこのような実施形態の全般的な理解を助けるために提供されているのみである。したがって、本発明の権利範囲及び思想から一脱せずに、ここで説明される実施形態の多様な変更及び修正が行われることが可能であることは該当技術分野の当業者にとって自明である。また、公知の機能及び構成に対する説明は明瞭性及び簡潔性のために省略される。
【００３０】
本発明の一実施形態によれば、柔軟な（ｆｌｅｘｉｂｌｅ）サブフレームのデュプレックス方向（ｄｕｐｌｅｘ  ｄｉｒｅｃｔｉｏｎ）における変更は、上記ＨＡＲＱ−ＡＣＫのタイミングに対して独立的である。したがって、上記ＨＡＲＱ−ＡＣＫは、ダウンリンクスケジューリング（ｄｏｗｎｌｉｎｋ  ｓｃｈｅｄｕｌｉｎｇ）の柔軟性に影響を与えずに正確に送信できる。
【００３１】
また、新しいＨＡＲＱ−ＡＣＫタイミング方式（ｔｉｍｉｎｇ  ｓｃｈｅｍｅ）は導入されず、上記ＬＴＥ  ＴＤＤ  ＵＬ／ＤＬ構成（ｃｏｎｆｉｇｕｒａｔｉｏｎ）の一般的なＨＡＲＱ−ＡＣＫタイミング方式がＳセルで上記ＨＡＲＱ−ＡＣＫのタイミングのために再使用され、複雑度も減少させる。
【００３２】
セルのＵＬ／ＤＬサブフレームの分布は、ＬＴＥ  ＴＤＤリリーズ（Ｒｅｌｅａｓｅ）８／９／１０／１１によって一般的なブロードキャストシグナリング（ｂｒｏａｄｃａｓｔ  ｓｉｇｎａｌｉｎｇ）を通して変更される。ここで、上記のようなセルは、ＵＬ／ＤＬサブフレームの分布が柔軟に変更されることが禁止されるセルであると称される。ＵＬ／ＤＬサブフレームの分布における速い変更をサポートするセルは、ここでＵＬ／ＤＬサブフレームの分布が柔軟に変更され得るセルであると称される。ＵＬ／ＤＬサブフレームの分布が柔軟に変更され得るセルで、デュプレックス方向が変更され得るサブフレームは、柔軟なサブフレーム（ｆｌｅｘｉｂｌｅ  ｓｕｂｆｒａｍｅ）であると称する。
【００３３】
ＵＬ／ＤＬサブフレームの分布が柔軟に変更され得るセルで、上記サブフレームの一部は固定されたデュプレックス方向を有することができ、これに反して他のサブフレームはデュプレックス方向が変更可能な、柔軟なサブフレームであり得る。一例で、サブフレーム０及びサブフレーム５と、サブフレーム１及びサブフレーム６におけるＤｗＰＴＳは、ダウンリンクの固定されたデュプレックス方向を有し、サブフレーム２と、サブフレーム１及びサブフレーム６におけるＵｐＰＴＳは、アップリンクの固定されたデュプレックス方向を有する。サブフレーム３と、サブフレーム４と、サブフレーム７と、サブフレーム８及びサブフレーム９が固定されたデュプレックス方向を有するかまたは柔軟なデュプレックス方向を有するかは、他の情報によって決定されることができる。
【００３４】
単一セルシステム（ｓｉｎｇｌｅ  ｃｅｌｌ  ｓｙｓｔｅｍ）でセルのＵＬ／ＤＬサブフレームの分布が柔軟に変更される場合、ＴＤＤ  ＵＬ／ＤＬ構成は、柔軟なサブフレームをサポートしないＵＥの全てがＳＩＢ１  ＵＬ／ＤＬ構成によって正確にＵＬ／ＤＬデータを送信及び受信するようにするために、上記ＳＩＢ１  ＵＬ／ＤＬ構成と称される一般的なＬＴＥリリーズ８／９／１０／１１によってブロードキャスト情報ＳＩＢ１で送信されることができる。ＳＩＢ１  ＵＬ／ＤＬ構成で上記アップリンクサブフレームの一部がダウンリンクサブフレームに変更されることが許可される。したがって、柔軟なサブフレームをサポートするＵＥは、ダウンリンクＨＡＲＱ−ＡＣＫを送信するために、上記固定されたダウンリンクサブフレーム及び上記柔軟なサブフレームの各々に対する上記ＨＡＲＱ−ＡＣＫのタイミング位置を決定する。
【００３５】
本発明の一実施形態によれば、上記基準ＵＬ／ＤＬ構成で上記ダウンリンクサブフレームが上記セルの上記固定されたダウンリンクサブフレーム及び上記柔軟なサブフレームのスーパ集合（ｓｕｐｅｒｓｅｔ）であることを前提で、上記ＳＩＢ１  ＵＬ／ＤＬ構成以外の、上記一般的なＬＴＥ  ＵＬ／ＤＬ構成のうち一つは、上記セルの基準ＵＬ／ＤＬ構成として選択される。したがって、上記セルの各ダウンリンクサブフレームに対する上記ＨＡＲＱ−ＡＣＫのタイミングは、上記したような一般的なＬＴＥ  ＵＬ／ＤＬ構成で同じタイミング位置でダウンリンクサブフレームに対する上記ＨＡＲＱ−ＡＣＫのタイミングによって決定されることができる。下記で、この方法は上記セルの基準ＵＬ／ＤＬ構成に基づいて、単一セルシステムにおけるダウンリンク送信のためのＨＡＲＱ−ＡＣＫタイミングを決定する。
【００３６】
ＴＤＤ  ＣＡシステムで、一個のセル、あるいは複数個のセル、あるいは上記セルの全ては上記ＵＬ／ＤＬサブフレームの柔軟な分布を使用することができる。上記の通りに、上記セルでダウンリンク送信に対する上記ＨＡＲＱ−ＡＣＫのタイミングを定義する場合、ＨＡＲＱ−ＡＣＫのタイミング位置は、ＵＬ／ＤＬサブフレームの分布で柔軟な変更をサポートするセルにおける上記固定されたダウンリンクサブフレーム及び上記柔軟なサブフレームの各々に対して定義されることができる。また、ＵＬ／ＤＬサブフレームの柔軟な分布をサポートするセルでＨＡＲＱ−ＡＣＫを送信する場合、上記ＨＡＲＱ−ＡＣＫが上記セルの柔軟なアップリンクサブフレームのみで送信されることが明示される。
【００３７】
ＣＡシステムで、ダウンリンクデータが送信される上記セル及びアップリンクＨＡＲＱ−ＡＣＫがフィードバックされる上記セルは、相異なるセルであり得る。一例でＬＴＥリリーズ１０／１１によれば、ダウンリンクデータは基地局により構成される各セルで送信されるが、ＨＡＲＱ−ＡＣＫはＰセルのみで送信されることができる。ＬＴＥリリーズ１０／１１では、ＣＡ  ＵＥに対して構成される上記のセルで一つのＰセルのみが存在する。しかし、次のＬＴＥバージョンでは、ＵＥは、複数個のＰセルを有することができ、上記複数個のＰセルの全てはアップリンクＨＡＲＱ−ＡＣＫを送信するために使用されることができる。したがって、下記の説明で、Ｐセルは、ＨＡＲＱ−ＡＣＫをフィードバックするためにＵＥによって使用されるアップリンクサブフレームを有するセルを示す。
【００３８】
図２は、本発明の一実施形態によるＨＡＲＱ−ＡＣＫを送信する方法を図示しているフローチャートである。特に、図２は、サブフレームのデュプレックス方向が柔軟に変更されるＴＤＤ  ＣＡシステムに適用可能な方法を図示している。
【００３９】
図２を参照すれば、ステップ２０１で、ＵＥはＣＡモード下で動作する各セルに対して基地局から構成情報を受信する。
【００４０】
上記ＵＥは、ＵＬ／ＤＬサブフレームの分布がＰセル及びＳセルで柔軟に変更され得るか否かによって相異なるモードで動作できる。一例で、ＰセルでＵＬ／ＤＬサブフレームの分布は柔軟に変更されることが禁止されることができ、少なくとも一つのＳセルでＵＬ／ＤＬサブフレームの分布は柔軟に変更され得る。一方、ＰセルでＵＬ／ＤＬサブフレームの分布は柔軟に変更されることができ、少なくとも一つのＳセルでＵＬ／ＤＬサブフレームの分布もまた柔軟に変更され得る。また、ＰセルでＵＬ／ＤＬサブフレームの分布は柔軟に変更されることができ、上記全てのＳセルでＵＬ／ＤＬサブフレームの分布は柔軟に変更され得る。
【００４１】
ステップ２０２で、上記ＵＥは、上記ＣＡモード下で動作する各セルにおける固定されたダウンリンクサブフレーム及び柔軟なサブフレームの分布を決定し、各セルでダウンリンク送信のためのＨＡＲＱ−ＡＣＫのタイミングを決定する。
【００４２】
Ｐセルでダウンリンク送信に対する上記ＨＡＲＱ−ＡＣＫのタイミングは個別的に決定されることができる。上記Ｐセルで上記ＵＬ／ＤＬサブフレームの分布が柔軟に変更され得る場合、上記一般的なＬＴＥ  ＴＤＤ  ＵＬ／ＤＬ構成のうち一つは、単一セルシステムで上記Ｐセルの上記基準ＤＬ構成（基準ＵＬ／ＤＬ構成Ａと称される）として選択されることができ、上記ＣＡモード下における上記Ｐセルでダウンリンク送信に対する上記ＨＡＲＱ−ＡＣＫのタイミングも上記基準ＵＬ／ＤＬ構成Ａによって決定されることができる。上記Ｐセルで上記ＵＬ／ＤＬサブフレームの分布が柔軟に変更されることが禁止される場合、上記Ｐセルでダウンリンク送信に対する上記ＨＡＲＱ−ＡＣＫのタイミングは、上記ＰセルのＵＬ／ＤＬ構成によって決定されることができる。
【００４３】
各Ｓセルでダウンリンク送信のための上記ＨＡＲＱ−ＡＣＫのタイミングは、ＵＬ／ＤＬサブフレームの分布が上記Ｓセル及びＰセルで柔軟に変更され得るか否かによって決定されることができる。ＵＥが複数個のＳセルで構成される場合、各Ｓセルでダウンリンク送信のための上記ＨＡＲＱ−ＡＣＫのタイミングは、下記で説明されるように決定されることができる。
【００４４】
本発明の一実施形態によれば、上記ＵＬ／ＤＬサブフレームの分布が上記Ｓセル及びＰセルで柔軟に変更され得るか否かに従って、三つの状況がＳセルに対して提供される。第１の状況で、上記ＰセルでＵＬ／ＤＬサブフレームの分布は柔軟に変更されることができ、上記ＳセルでＵＬ／ＤＬサブフレームの分布は柔軟に変更されることが禁止される。第２の状況で、上記ＰセルでＵＬ／ＤＬサブフレームの分布は柔軟に変更されることが禁止され、上記ＳセルでＵＬ／ＤＬサブフレームの分布は柔軟に変更され得る。第３の状況で、ＵＬ／ＤＬサブフレームの分布は上記Ｐセル及びＳセルの両方において柔軟に変更され得る。
【００４５】
本発明の一実施形態によれば、上記ＳセルのＣＡモード基準ＵＬ／ＤＬ構成と称され、ここでＣＡモード基準ＵＬ／ＤＬ構成Ｃと示される、各Ｓセルに対する一般的なＬＴＥ  ＵＬ／ＤＬ構成のうち一つが使用される場合、ＨＡＲＱ−ＡＣＫの新しいタイミング方式は要求されない。上記Ｓセルでダウンリンク送信のための上記ＨＡＲＱ−ＡＣＫのタイミングは上記基準ＵＬ／ＤＬ構成Ｃによって決定される。
【００４６】
ステップ２０３で、上記ＵＥは、各セルに対して決定されたＨＡＲＱ−ＡＣＫのタイミングに基づいてＨＡＲＱ−ＡＣＫを送信する。
【００４７】
上記状況の各々に対する、ステップ２０２で上記基準ＵＬ／ＤＬ構成Ｃを決定する方法は下記で説明される。
【００４８】
ＰセルでＵＬ／ＤＬサブフレームの分布が柔軟に変更されることができ、ＳセルでＵＬ／ＤＬサブフレームの分布が柔軟に変更されることが禁止される上記第１の状況に対して、上記Ｓセルで各ダウンリンクサブフレームに対して上記ＨＡＲＱ−ＡＣＫのタイミングを定義する場合、上記ＰセルのＵＬ／ＤＬサブフレームの分布が柔軟に変更され得るので、ＨＡＲＱ−ＡＣＫは、上記Ｐセルにおける固定されたアップリンクサブフレームのみで送信されると定義されることができる。したがって、上記Ｐセルで柔軟なサブフレームのデュプレックス方向における変更は、上記Ｐセルの固定されたアップリンクサブフレームにおける各セルに対するＨＡＲＱ−ＡＣＫの送信に対して影響を与えない。結果的に、ダウンリンクスケジューリングの柔軟性は影響を受けない。
【００４９】
本発明の一実施形態によれば、Ｓセルの基準ＵＬ／ＤＬ構成Ｃを決定する方法は、上記Ｐセルの固定されたアップリンクサブフレーム及び上記Ｓセルのアップリンクサブフレームの共通集合を決定するステップと、上記ＵＬ／ＤＬ構成のダウンリンクサブフレームが上記Ｓセルのダウンリンクサブフレームのスーパ集合（ｓｕｐｅｒｓｅｔ）を形成する上記共通集合のサブ集合を上記ＵＬ／ＤＬ構成でアップリンクサブフレームが形成するという仮定に基づいて、上記一般的なＬＴＥ  ＴＤＤ  ＵＬ／ＤＬ構成からＵＬ／ＤＬ構成を選択するステップと、上記選択された一般的なＬＴＥ  ＴＤＤ  ＵＬ／ＤＬ構成を上記Ｓセルの上記ＣＡモード基準ＵＬ／ＤＬ構成Ｃとして使用するステップを含む。ＨＡＲＱ送信性能を最適化するために、上記一般的なＬＴＥ  ＴＤＤ  ＵＬ／ＤＬ構成で上記アップリンクサブフレームの集合は、上記共通集合の一番大きいサブ集合であるか、あるいは上記共通集合と同一であり得る。
【００５０】
一例で、上記Ｐセルにおける固定されたダウンリンクサブフレーム及び柔軟なサブフレームでダウンリンク送信に対する上記ＨＡＲＱ−ＡＣＫのタイミングは、単一セルシステムで上記Ｐセルの上記基準ＵＬ／ＤＬ構成Ａによって決定されることができる。上記Ｐセルの基準ＵＬ／ＤＬ構成Ａのダウンリンクサブフレームの集合が上記Ｐセルの固定されたダウンリンクサブフレーム及び柔軟なサブフレームの集合のスーパ集合であるので、上記基準ＵＬ／ＤＬ構成Ａのアップリンクサブフレームは、上記ＰセルのＵＬ／ＤＬ構成の固定されたアップリンクサブフレームに対応する。
【００５１】
上記した通り、上記Ｓセルの各ダウンリンクサブフレームに対するＨＡＲＱ−ＡＣＫのタイミングを定義する場合、上記Ｓセルの上記ＣＡモード基準ＵＬ／ＤＬ構成Ｃは、上記Ｐセルの上記基準ＵＬ／ＤＬ構成Ａ及び上記ＳセルのＵＬ／ＤＬ構成によって獲得されることができ、上記Ｓセルのダウンリンク送信に対するＨＡＲＱ−ＡＣＫのタイミングは、上記ＣＡモード基準ＵＬ／ＤＬ構成Ｃに基づいて決定されることができる。一例で、＜表３＞に図示したようなマッピング関係（ｍａｐｐｉｎｇ  ｒｅｌａｔｉｏｎ）が再使用されることがある。
【００５２】
本発明の一実施形態によれば、＜表３＞で、Ｐセルの上記ＵＬ／ＤＬ構成は、上記Ｐセルの上記基準ＵＬ／ＤＬ構成Ａと切り替えられ、上記Ｐセルの上記固定されたアップリンクサブフレームだけを上記ＳセルのＨＡＲＱ−ＡＣＫをフィードバックするために使用するようにすることができ、下記＜表４＞に表したような、上記Ｓセルの上記ＣＡモード基準ＵＬ／ＤＬ構成Ｃが獲得できる。＜表４＞は、ＨＡＲＱ−ＡＣＫタイミングのための基準ＵＬ／ＤＬ構成を決定することを示す。
【００５３】
【表４】
0006317344.tif 000005
【００５４】
上記Ｓセルのバンドリングウィンドウ（ｂｕｎｄｌｉｎｇ  ｗｉｎｄｏｗ）を決定する二つの方法が下記で説明される。
【００５５】
第１の方法は、Ｓセルのバンドリングウィンドウを上記ＣＡモード基準ＵＬ／ＤＬ構成Ｃに対してＬＴＥリリーズ８で定義されているバンドリングウィンドウになるように決定するステップを含み、上記ＣＡモード基準ＵＬ／ＤＬ構成Ｃは、上記ＳセルのＨＡＲＱ−ＡＣＫタイミングを決定するためのものである。
【００５６】
第２の方法は、Ｓセルのバンドリングウィンドウをサブフレームの集合になるように決定するステップを含み、上記サブフレームの集合の各々は、上記ＣＡモード基準ＵＬ／ＤＬ構成Ｃに対してＬＴＥリリーズ８で定義されているバンドリングウィンドウの上記Ｓセルにおけるダウンリンクサブフレームであり、上記ＣＡモード基準ＵＬ／ＤＬ構成Ｃは、上記ＳセルのＨＡＲＱ−ＡＣＫタイミングを決定するためのものである。
【００５７】
ＰセルでＵＬ／ＤＬサブフレームの分布が柔軟に変更されることが禁止され、Ｓセルで上記ＵＬ／ＤＬサブフレームの分布が柔軟に変更され得る上記第２の状況に対して、上記Ｓセルの各ダウンリンクサブフレームに対するＨＡＲＱ−ＡＣＫのタイミングを定義する場合、上記ＨＡＲＱ−ＡＣＫのタイミング位置は、上記Ｓセルの上記固定されたダウンリンクサブフレーム及び柔軟なサブフレームの各々に対して定義されることができる。
【００５８】
本発明の一実施形態によれば、上記Ｓセルの上記基準ＵＬ／ＤＬ構成Ｃを決定する方法は、上記Ｐセルのアップリンクサブフレーム及び上記Ｓセルの固定されたアップリンクサブフレームの共通集合を決定するステップと、上記ＵＬ／ＤＬ構成のダウンリンクサブフレームが上記Ｓセルの固定されたダウンリンクサブフレーム及び柔軟なサブフレームのスーパ集合を形成する上記共通集合のサブ集合を上記ＵＬ／ＤＬ構成のアップリンクサブフレームが形成するという仮定に基づいて、上記一般的なＬＴＥ  ＴＤＤ  ＵＬ／ＤＬ構成からＵＬ／ＤＬ構成を選択するステップと、上記選択された一般的なＬＴＥ  ＴＤＤ  ＵＬ／ＤＬ構成を上記Ｓセルの上記ＣＡモード基準ＵＬ／ＤＬ構成Ｃとして使用するステップとを含む。ＨＡＲＱ送信性能を最適化するために、上記一般的なＬＴＥ  ＴＤＤ  ＵＬ／ＤＬ構成で上記アップリンクサブフレームの集合は、上記共通集合の一番大きいサブ集合であるか、あるいは上記共通集合と同一であり得る。
【００５９】
ダウンリンクサブフレームが上記Ｓセルの固定されたダウンリンクサブフレーム及び柔軟なサブフレームのスーパ集合を形成する一般的なＬＴＥ  ＴＤＤ  ＵＬ／ＤＬ構成は、上記Ｓセルに対して、上記Ｓセルの上記基準ＵＬ／ＤＬ構成Ｂとして選択される。結果的に、上記Ｓセルの全ての固定されたダウンリンクサブフレーム及び柔軟なサブフレームに対するＨＡＲＱ−ＡＣＫのタイミングは、上記基準ＵＬ／ＤＬ構成Ｂで各ダウンリンクサブフレームに対する上記ＨＡＲＱ−ＡＣＫのタイミングが決定される場合に獲得される。
【００６０】
上記Ｓセルが他のＵＥの唯一のサービングセル（ｓｅｒｖｉｎｇ  ｃｅｌｌ）として動作できる場合（すなわち、単一セルシステムで）、上記Ｓセルの上記基準ＵＬ／ＤＬ構成Ｂは、上記状況でダウンリンク送信に対する上記ＨＡＲＱ−ＡＣＫのタイミングを決定するために他のＵＥの上記基準ＵＬ／ＤＬ構成になることができる。上記Ｓセルが上記Ｓセル自身でＵＥの唯一のサービングセルとして動作できない場合、上記Ｓセルの上記基準ＵＬ／ＤＬ構成Ｂは、上記ＳセルのＣＡモード基準ＵＬ／ＤＬ構成Ｃのみを決定するために使用されることができる。
【００６１】
ＬＴＥリリーズ１０／１１で、上記基地局は上記Ｓセルの実際ＵＬ／ＤＬ構成、すなわち上記Ｓセルの上記ＳＩＢ１シグナリングで指示されるＵＬ／ＤＬ構成情報を上記ＵＥのＳセルを構成するために上記ＵＥにシグナリングメッセージで送信する。上記ＳセルのＵＬ／ＤＬサブフレームの分布が柔軟に変更され得るために、上記ＵＥのＳセルを構成する場合、上記基地局は、また、上記ＳＩＢ１  ＵＬ／ＤＬ構成及び上記Ｓセルの基準ＵＬ／ＤＬ構成Ｂに対する情報を上記構成シグナリングメッセージにロードすることができる。
【００６２】
一方、上記基地局は、上記ＳＩＢ１  ＵＬ／ＤＬ構成及び上記Ｓセルの柔軟なサブフレームに対する情報を上記構成シグナリングメッセージにロードでき、したがって、上記ＵＥは、上記ＳＩＢ１  ＵＬ／ＤＬ構成及び上記柔軟なサブフレームに対する情報を使用して上記基準ＵＬ／ＤＬ構成Ｂを獲得できる。
【００６３】
一方、上記ＵＥは上記Ｓセルからブロードキャスト情報を受信することができ、上記ブロードキャスト情報から上記Ｓセルの基準ＵＬ／ＤＬ構成Ｂを獲得できる。
【００６４】
上記Ｓセルの各ダウンリンクサブフレームに対する上記ＨＡＲＱ−ＡＣＫのタイミングを定義する場合、上記Ｓセルの上記ＣＡモード基準ＵＬ／ＤＬ構成Ｃは、上記Ｐセルの上記ＵＬ／ＤＬ構成及び上記Ｓセルの上記基準ＵＬ／ＤＬ構成によって獲得でき、上記Ｓセルのダウンリンク送信に対する上記ＨＡＲＱ−ＡＣＫのタイミングは、上記ＣＡモード基準ＵＬ／ＤＬ構成Ｃに基づいて決定されることができる。一例で、＜表３＞に表したようなマッピング関係が再使用されることができる。
【００６５】
本発明の一実施形態によれば、＜表３＞のＳセルの上記ＵＬ／ＤＬ構成は、上記Ｓセルの基準ＵＬ／ＤＬ構成Ｂと切り替えられ、したがって上記Ｓセルの上記固定されたアップリンクサブフレーム及び柔軟なサブフレームの各々に対するＨＡＲＱ−ＡＣＫのタイミングを定義することが可能になる。＜表５＞に表したような上記Ｓセルの上記ＣＡモード基準ＵＬ／ＤＬ構成Ｃが獲得できる。＜表５＞は、ＨＡＲＱ−ＡＣＫタイミングに対するＳセルの基準ＵＬ／ＤＬ構成を決定することを示す。
【００６６】
【表５】
0006317344.tif 000006
【００６７】
上記Ｓセルのバンドリングウィンドウを決定する二つの方法が下記で説明される。
【００６８】
第１の方法は、Ｓセルのバンドリングウィンドウを上記ＣＡモード基準ＵＬ／ＤＬ構成Ｃに対してＬＴＥリリーズ８で定義されているバンドリングウィンドウになるように決定するステップを含み、上記ＣＡモード基準ＵＬ／ＤＬ構成Ｃは、上記ＨＡＲＱ−ＡＣＫのタイミングを決定するために使用される。
【００６９】
第２の方法は、Ｓセルのバンドリングウィンドウをサブフレームの集合になるように決定するステップを含み、上記サブフレームの集合の各々は上記ＣＡモード基準ＵＬ／ＤＬ構成Ｃに対してＬＴＥリリーズ８で定義されているバンドリングウィンドウにおいて、上記Ｓセルにおける固定されたダウンリンクサブフレームあるいは柔軟なサブフレームであり、上記第２の方法は、上記ＳセルのＨＡＲＱ−ＡＣＫのタイミングを決定するためのものである。上記第２の方法は、またＳセルのバンドリングウィンドウをサブフレームの集合になるように決定するステップを含むことができ、上記サブフレームの集合の各々は、また、上記ＣＡモード基準ＵＬ／ＤＬ構成Ｃに対してＬＴＥリリーズ８で定義されているバンドリングウィンドウで上記Ｓセルの基準ＵＬ／ＤＬ構成Ｂでダウンリンクサブフレームであり、上記ＣＡモード基準ＵＬ／ＤＬ構成Ｃは上記ＳセルのＨＡＲＱ−ＡＣＫタイミングを決定するためのものである。
【００７０】
上記ＵＥは、上記Ｓセルの固定されたダウンリンクサブフレームであるか、あるいは、ダウンリンク送信のために現在使用されることができる上記固定されたダウンリンクサブフレーム及び上記柔軟なサブフレームの両方において、上記Ｓセルのダウンリンク送信をスケジューリングするためにＰＤＣＣＨをモニターする。上記Ｓセルの柔軟なサブフレームが上記Ｓセルの基準ＵＬ／ＤＬ構成Ｂで指示される場合、上記ＵＥは、上記基準ＵＬ／ＤＬ構成Ｂのダウンリンクサブフレームの各々で上記Ｓセルのダウンリンク送信をスケジューリングするためのＰＤＣＣＨをモニターする。
【００７１】
上記Ｐセル及びＳセルの両方においてＵＬ／ＤＬサブフレームの分布が柔軟に変更され得る第３の状況に対して、上記ＰセルのＵＬ／ＤＬサブフレームの分布が柔軟に変更され得るので、ＨＡＲＱ−ＡＣＫは上記Ｐセルの固定されたサブフレームのみで送信されることができる。したがって、上記Ｐセルの柔軟なサブフレームのデュプレックス方向における変更は、上記Ｐセルの上記固定されたアップリンクサブフレームにおける各セルに対するＨＡＲＱ−ＡＣＫの送信に影響を与えない。結果的に、上記ダウンリンクスケジューリングの柔軟性は影響を受けない。
【００７２】
Ｓセルの各ダウンリンクサブフレームに対する上記ＨＡＲＱ−ＡＣＫのタイミングを定義する場合、上記ＳセルのＵＬ／ＤＬサブフレームの分布が柔軟に変更され得る場合、上記ＨＡＲＱ−ＡＣＫのタイミング位置は、上記Ｓセルの固定されたダウンリンクサブフレーム及び柔軟なサブフレームの各々に対して定義されることができる。
【００７３】
本発明の一実施形態によれば、上記Ｓセルの基準ＵＬ／ＤＬ構成Ｃを決定する方法は、上記Ｐセルの固定されたアップリンクサブフレーム及び上記Ｓセルの固定されたアップリンクサブフレームの共通集合を決定するステップと、上記ＵＬ／ＤＬ構成のダウンリンクサブフレームが上記Ｓセルの固定されたダウンリンクサブフレーム及び柔軟なサブフレームのスーパ集合を形成する上記共通集合のサブ集合を上記ＵＬ／ＤＬ構成におけるアップリンクサブフレームが形成するという仮定に基づいて、上記一般的なＬＴＥ  ＴＤＤ  ＵＬ／ＤＬ構成からＵＬ／ＤＬ構成を選択するステップと、上記選択された一般的なＬＴＥ  ＴＤＤ  ＵＬ／ＤＬ構成を上記Ｓセルの上記ＣＡモード基準ＵＬ／ＤＬ構成Ｃとして使用するステップとを含む。ＨＡＲＱ送信性能を最適化するために、上記一般的なＬＴＥ  ＴＤＤ  ＵＬ／ＤＬ構成で上記アップリンクサブフレームの集合は、上記共通集合の一番大きいサブ集合であるか、あるいは上記共通集合と同一であり得る。
【００７４】
上記で説明した通り、上記Ｐセルの固定されたダウンリンクサブフレーム及び柔軟なサブフレームでダウンリンク送信のための上記ＨＡＲＱ−ＡＣＫのタイミングは、単一セルシステムで上記Ｐセルの上記基準ＵＬ／ＤＬ構成Ａを使用することによって決定されることができ、上記基準ＵＬ／ＤＬ構成Ａでアップリンクサブフレームは、上記Ｐセルの上記ＵＬ／ＤＬ構成における固定されたアップリンクサブフレームに対応する。
【００７５】
ダウンリンクサブフレームが上記セルの固定されたダウンリンクサブフレーム及び柔軟なサブフレームの集合のスーパ集合を形成する一般的なＬＴＥ  ＴＤＤ  ＵＬ／ＤＬ構成は、上記Ｓセルに対して上記Ｓセルの上記基準ＵＬ／ＤＬ構成Ｂとして選択される。結果的に、上記Ｓセルの全ての固定されたダウンリンクサブフレーム及び柔軟なサブフレームに対する上記ＨＡＲＱ−ＡＣＫのタイミングは、上記基準ＵＬ／ＤＬ構成Ｂで各ダウンリンクサブフレームに対する上記ＨＡＲＱ−ＡＣＫのタイミングが決定される場合に獲得される。
【００７６】
上記Ｓセルが他のＵＥの上記唯一のサービングセルとして動作することができる場合（すなわち、単一セルシステムで）、上記Ｓセルの上記基準ＵＬ／ＤＬ構成Ｂは、上記状況でダウンリンク送信に対する上記ＨＡＲＱ−ＡＣＫのタイミングを決定するために、他のＵＥの上記基準ＵＬ／ＤＬ構成になることができる。しかし、上記Ｓセルが上記Ｓセル自分でＵＥの上記唯一のサービングセルとして動作できない場合、上記Ｓセルの上記基準ＵＬ／ＤＬ構成Ｂは、上記ＳセルのＣＡモード基準ＵＬ／ＤＬ構成Ｃを決定するためだけに使用されることができる。
【００７７】
ＬＴＥリリーズ１０／１１で、上記基地局は、上記Ｓセルの実際ＵＬ／ＤＬ構成、すなわち、上記Ｓセルの上記ＳＩＢ１シグナリングで指示されるＵＬ／ＤＬ構成情報を上記ＵＥのＳセルを構成するために、シグナリングメッセージを使用して上記ＵＥに送信する。上記ＳセルのＵＬ／ＤＬサブフレームの分布が柔軟に変更され得るので、上記ＵＥのＳセルを構成する場合、上記基地局は、また、上記Ｓセルの上記ＳＩＢ１  ＵＬ／ＤＬ構成に対する情報及び基準ＵＬ／ＤＬ構成Ｂに対する情報を上記構成シグナリングメッセージにロードすることができる。
【００７８】
一方、上記基地局は、上記ＳセルのＳＩＢ１  ＵＬ／ＤＬ構成に対する情報及び柔軟なサブフレームに対する情報を上記構成シグナリングメッセージにロードすることができ、したがって、上記ＵＥは、上記ＳＩＢ１  ＵＬ／ＤＬ構成に対する情報及び上記柔軟なサブフレームに対する情報を使用して上記基準ＵＬ／ＤＬ構成Ｂを獲得できる。
【００７９】
一方、上記ＵＥは、上記Ｓセルからブロードキャスト情報を受信することができ、上記ブロードキャスト情報から上記Ｓセルの基準ＵＬ／ＤＬ構成Ｂを獲得できる。
【００８０】
上記Ｓセルの各ダウンリンクサブフレームに対するＨＡＲＱ−ＡＣＫのタイミングを定義する場合、上記Ｓセルの上記ＣＡモード基準ＵＬ／ＤＬ構成Ｃは、上記Ｐセルの上記基準ＵＬ／ＤＬ構成Ａ及び上記Ｓセルの上記基準ＵＬ／ＤＬ構成Ｂによって獲得されることができ、上記Ｓセルのダウンリンク送信に対するＨＡＲＱ−ＡＣＫのタイミングは、上記ＣＡモード基準ＵＬ／ＤＬ構成Ｃに基づいて決定されることができる。この状況で、＜表３＞に図示したようなマッピング関係が再使用されることができる。
【００８１】
本発明の一実施形態によれば、＜表３＞でＰセルの上記ＵＬ／ＤＬ構成は、上記Ｐセルの上記基準ＵＬ／ＤＬ構成Ａと切り替えられ、ＨＡＲＱ−ＡＣＫが上記Ｐセルの固定されたアップリンクサブフレームのみでフィードバックされることができる。また、＜表３＞におけるＳセルのＵＬ／ＤＬ構成は、上記Ｓセルの上記基準ＵＬ／ＤＬ構成Ｂと切り替えられ、したがって、上記Ｓセルの上記固定されたダウンリンクサブフレーム及び柔軟なサブフレームの各々に対するＨＡＲＱ−ＡＣＫのタイミングを定義することが可能になる。＜表６＞に表したような上記Ｓセルの上記ＣＡモード基準ＵＬ／ＤＬ構成Ｃが獲得できる。＜表６＞は、ＨＡＲＱ−ＡＣＫタイミングに対するＳセルの基準ＵＬ／ＤＬ構成を決定することを示す。
【００８２】
【表６】
0006317344.tif 000007
【００８３】
上記Ｓセルのバンドリングウィンドウを決定する二つの方法が下記で説明される。
【００８４】
第１の方法は、Ｓセルのバンドリングウィンドウを上記ＣＡモード基準ＵＬ／ＤＬ構成Ｃに対してＬＴＥリリーズ８で定義されているバンドリングウィンドウになるように決定するステップを含み、上記ＣＡモード基準ＵＬ／ＤＬ構成Ｃは、上記ＨＡＲＱ−ＡＣＫタイミングを決定するためのものである。
【００８５】
第２の方法は、Ｓセルのバンドリングウィンドウをサブフレームの集合になるように決定するステップを含み、上記サブフレームの集合の各々は、上記ＣＡモード基準ＵＬ／ＤＬ構成Ｃに対してＬＴＥリリーズ８で定義されているバンドリングウィンドウで上記Ｓセルにおける固定されたダウンリンクサブフレームあるいは柔軟なサブフレームであり、上記ＣＡモード基準ＵＬ／ＤＬ構成Ｃは、上記Ｓセルの上記ＨＡＲＱ−ＡＣＫタイミングを決定するためのものである。上記第２の方法は、また、Ｓセルのバンドリングウィンドウをサブフレームの集合になるように決定するステップを含むことができ、上記サブフレームの集合の各々は、また、上記ＣＡモード基準ＵＬ／ＤＬ構成Ｃに対してＬＴＥリリーズ８で定義されているバンドリングウィンドウで上記Ｓセルの基準ＵＬ／ＤＬ構成Ｂでダウンリンクサブフレームであり、上記ＣＡモード基準ＵＬ／ＤＬ構成Ｃは、上記ＳセルのＨＡＲＱ−ＡＣＫタイミングを決定するためのものである。
【００８６】
上記ＵＥは、上記Ｓセルの固定されたダウンリンクサブフレームのみであるか、あるいはダウンリンク送信のために現在使用されることができる上記固定されたダウンリンクサブフレーム及び上記柔軟なサブフレームにおいて、上記Ｓセルのダウンリンク送信をスケジューリングするためのＰＤＣＣＨをモニターする。上記Ｓセルの柔軟なサブフレームが上記Ｓセルの基準ＵＬ／ＤＬ構成Ｂで指示される場合、上記ＵＥは上記基準ＵＬ／ＤＬ構成Ｂのダウンリンクサブフレームの各々で上記Ｓセルのダウンリンク送信をスケジューリングするためのＰＤＣＣＨをモニターする。
【００８７】
図３は、本発明の一実施形態によるＨＡＲＱ−ＡＣＫを送信する装置を図示している。特に、図３はＴＤＤ  ＣＡシステムに適用されることができるＨＡＲＱ−ＡＣＫを送信する装置を図示しており、サブフレームのデュプレックス方向は柔軟に変更され得る。
【００８８】
図３を参照すれば、上記装置は制御機３１０及び送受信器３３０を含む。
【００８９】
制御機３１０、例えば、マイクロプロセッサ（ｍｉｃｒｏｐｒｏｃｅｓｓｏｒ）は、送受信器３３０を通してＣＡモード下で動作する各セルに対して基地局から構成情報を受信するように構成される。
【００９０】
制御機３１０は、上記受信された構成情報によって各セルにおける固定されたダウンリンクサブフレーム及び柔軟なサブフレームの分布を獲得し、上記各セルで決定された、上記固定されたダウンリンクサブフレーム及び柔軟なサブフレームの分布によって各セルでダウンリンク送信に対するＨＡＲＱ−ＡＣＫのタイミングを決定するように構成される。
【００９１】
送受信器３３０は基地局から構成情報を受信し、上記各セルに対して決定されたＨＡＲＱ−ＡＣＫのタイミングによって上記ＨＡＲＱ−ＡＣＫを送信するように構成される。
【００９２】
本発明の上記で説明したような実施形態で、柔軟なサブフレームのデュプレックス方向は上記ＨＡＲＱ−ＡＣＫのタイミングと独立的に変更される。上記の通りに、ＨＡＲＱ−ＡＣＫは、上記ダウンリンクスケジューリングの柔軟性に影響を与えず、正確に送信される。また、一般的なＬＴＥ  ＴＤＤ  ＵＬ／ＤＬ構成からの上記ＨＡＲＱ−ＡＣＫタイミング方式は、Ｓセルの上記ＨＡＲＱ−ＡＣＫタイミングのために再使用され、上記ＨＡＲＱ−ＡＣＫタイミングは複雑度も減少させる。
【００９３】
本発明は、任意の実施形態を参照して具体的に図示及び説明したが、本発明の思想及び範囲から逸脱しない限度内における形態及び具体的な事項の多様な変更は、次の請求項及び上記請求項と均等なものにより定義されることが当業者にとって明らかである。
【符号の説明】
【００９４】
３１０  制御機
３３０  送受信器
【図１】
0006317344.tif 000011
【図２】
0006317344.tif 000012
【図３】
0006317344.tif 000013